(57)【特許請求の範囲】
【請求項１】
画像形成装置本体と、
この画像形成装置本体に対して開閉自在に設けられたカバーと、
前記画像形成装置本体内に形成され、記録媒体が搬送される搬送路と、
この搬送路を搬送される記録媒体により移動される移動部材とこの移動部材の移動を検知する検知部とを有する検出装置と、
前記移動部材に対向して設けられ、前記カバーが閉じられている場合に固定される第１の記録媒体案内部材と、
前記カバーが閉じられている場合に前記第１の記録媒体案内部材の記録媒体搬送方向下流側に位置して前記第１の記録媒体案内部材に対して可動とされ、搬送される記録媒体を案内する第２の記録媒体案内部材と、
を有する画像形成装置。
【請求項２】
前記画像形成装置は、画像を記録媒体に定着させる定着部材を有し、
前記第１の記録媒体案内部材は前記定着部材の記録媒体搬送方向下流に設けられて、前記定着部材を通過した記録媒体を案内する請求項１記載の画像形成装置。
【請求項３】
前記画像形成装置は、前記搬送路から分岐する第１の分岐路を有し、
前記第２の記録媒体案内部材は、前記第１の分岐路を搬送される記録媒体を案内する請求項２記載の画像形成装置。
【請求項４】
前記第１の分岐路は、前記定着部材を通過した記録媒体を搬送して該定着部材に再度通過させるための搬送路である請求項３記載の画像形成装置。
【請求項５】
前記第２の記録媒体案内部材は、前記第１の記録媒体案内部材に連結されている請求項１乃至４記載の画像形成装置。
【請求項６】
前記第２の記録媒体案内部材は、前記第１の記録媒体案内部材に対して回転自在であるように設けられている請求項１乃至５記載の画像形成装置。
【請求項７】
前記搬送路には、正逆回転する排出ロールが設けられ、この排出ロールが正転することにより前記画像形成装置本体外へ記録媒体を排出し、この排出ロールが逆転することにより前記第１の分岐路に記録媒体を搬送する請求項３又は４記載の画像形成装置。
【請求項８】
前記排出ロールは、前記検出装置により記録媒体の後端が通過したことを検出した後に逆転する請求項７記載の画像形成装置。
【請求項９】
前記画像形成装置は、前記搬送路から分岐する第２の分岐路を有し、
前記定着部材を通過した記録媒体を前記搬送路と前記第２の分岐路のいずれか一方に切り替える切替部材と、
を有する請求項２乃至４記載の画像形成装置。
【請求項１０】
前記画像形成装置は、前記搬送路を開く状態で前記第２の記録媒体案内部材を保持する保持手段をさらに有する請求項９記載の画像形成装置。
【請求項１１】
前記保持手段は、前記第２の記録媒体案内部材が前記切替部材と連動するように前記切替部材と前記第２の記録媒体案内部材とを連結する連結部材を有する請求項１０記載の画像形成装置。
【請求項１２】
画像に像を定着する定着部材を有する定着装置であって、
前記定着装置内に形成され、記録媒体が搬送される搬送路と、
この搬送路を搬送される記録媒体により移動される移動部材とこの移動部材の移動を検知する検知部とを有する検出装置と、
前記移動部材に対向して設けられ、前記定着装置が固定される画像形成装置本体に対して開閉自在に設けられたカバーが閉じられている場合に固定される第１の記録媒体案内部材と、
前記カバーが閉じられている場合に前記第１の記録媒体案内部材の記録媒体搬送方向下流側に位置して前記第１の記録媒体案内部材に対して可動とされ、搬送される記録媒体を案内する第２の記録媒体案内部材と、
を有する定着装置。
【発明の詳細な説明】
【技術分野】
【０００１】
本発明は、画像形成装置及び定着装置に関する。
【背景技術】
【０００２】
従来、圧力と熱により記録媒体上のトナーを記録媒体に定着する定着装置を有し、この定着装置により第一面に画像が形成された記録媒体を反転し、再度定着装置に通すことにより第二面に画像を形成するようにした画像形成装置が知られている（特許文献１）。
【０００３】
【特許文献１】特開平１１−１２５９８３号公報
【発明の開示】
【発明が解決しようとする課題】
【０００４】
上記従来例においては、正逆回転する排出ロールを有し、排出ロールを正転させることにより記録媒体を排出し、排出ロールを逆転させることにより記録媒体を反転路に搬送するように構成されている。また、記録媒体により移動される移動部材とこの移動部材の移動を検知する検知部とを有する検出装置が設けられ、記録媒体の後端がこの検出装置により検出されたタイミングで排出ロールを逆転させるようになっている。
【０００５】
しかしながら、上記従来例における第１の実施形態においては、検出装置の移動部材が定着部材から離れた場所に設けられているので、この検出装置により定着部材を通過する記録媒体のジャムを検出しようとすると、定着部材を通過中の記録媒体にジャムが生じた場合、ジャム検出までのタイミングが遅れ、記録媒体にこげを生じさせる等の不具合が発生するおそれがある。また、上記従来例における第２の実施形態においては、記録媒体により回転されて記録媒体を案内する記録媒体案内部材の軸端に検出装置の移動部材が設けられているので、記録媒体のジャム検出に遅れが生じるおそれが少なくなるが、記録媒体の腰の強さにより記録媒体の検出タイミングが異なり、例えば記録媒体が厚紙の場合に排出ロールの逆転のタイミングを合わせておくと、記録媒体が薄紙の場合は、記録媒体の後端通過の検出が遅くなり、ジャム発生の可能性が高くなる。
【０００６】
本発明の目的は、記録媒体の腰の強さによらずに安定して記録媒体の検出ができ、記録媒体の案内を確実に行うことができ、さらにジャムが生じた記録媒体を簡単に除去できる画像形成装置及び定着装置を提供することにある。
【課題を解決するための手段】
【０００７】
本発明の第１の特徴とするところは、画像形成装置本体と、この画像形成装置本体に対して開閉自在に設けられたカバーと、前記画像形成装置本体内に形成され、記録媒体が搬送される搬送路と、この搬送路を搬送される記録媒体により移動される移動部材とこの移動部材の移動を検知する検知部とを有する検出装置と、前記移動部材に対向して設けられ、前記カバーが閉じられている場合に固定される第１の記録媒体案内部材と、前記カバーが閉じられている場合に前記第１の記録媒体案内部材の記録媒体搬送方向下流側に位置して前記第１の記録媒体案内部材に対して可動とされ、搬送される記録媒体を案内する第２の記録媒体案内部材と、を有する画像形成装置にある。
【０００８】
好適には、前記画像形成装置は、画像を記録媒体に定着させる定着部材を有し、前記第１の記録媒体案内部材は前記定着部材の記録媒体搬送方向下流に設けられて、前記定着部材を通過した記録媒体を案内する。
【０００９】
また、好適には、前記画像形成装置は、前記搬送路から分岐する第１の分岐路を有し、前記第２の記録媒体案内部材は、前記第１の分岐路を搬送される記録媒体を案内する。
【００１０】
また、好適には、前記第１の分岐路は、前記定着部材を通過した記録媒体を搬送して該定着部材に再度通過させるための搬送路である。
【００１１】
また、好適には、前記第２の記録媒体案内部材は、前記第１の記録媒体案内部材に連結されている。
【００１２】
また、好適には、前記第２の記録媒体案内部材は、前記第１の記録媒体案内部材に対して回転自在であるように設けられている。
【００１３】
また、好適には、前記搬送路には、正逆回転する排出ロールが設けられ、この排出ロールが正転することにより前記画像形成装置本体外へ記録媒体を排出し、この排出ロールが逆転することにより前記第１の分岐路に記録媒体を搬送する。
【００１４】
また、好適には、前記排出ロールは、前記検出装置により記録媒体の後端が通過したことを検出した後に逆転する。
【００１５】
また、好適には、前記画像形成装置は、前記搬送路から分岐する第２の分岐路を有し、前記定着部材を通過した記録媒体を前記搬送路と前記第２の分岐路のいずれか一方に切り替える切替部材と、を有する。
【００１６】
また、好適には、前記画像形成装置は、前記搬送路を開く状態で前記第２の記録媒体案内部材を保持する保持手段をさらに有する。
【００１７】
また、好適には、前記保持手段は、前記第２の記録媒体案内部材が前記切替部材と連動するように前記切替部材と前記第２の記録媒体案内部材とを連結する連結部材を有する。
【００１８】
本発明の第２の特徴とするところは、画像に像を定着する定着部材を有する定着装置であって、前記定着装置内に形成され、記録媒体が搬送される搬送路と、この搬送路を搬送される記録媒体により移動される移動部材とこの移動部材の移動を検知する検知部とを有する検出装置と、前記移動部材に対向して設けられ、前記定着装置が固定される画像形成装置本体に対して開閉自在に設けられたカバーが閉じられている場合に固定される第１の記録媒体案内部材と、前記カバーが閉じられている場合に前記第１の記録媒体案内部材の記録媒体搬送方向下流側に位置して前記第１の記録媒体案内部材に対して可動とされ、搬送される記録媒体を案内する第２の記録媒体案内部材と、を有する定着装置にある。
【発明の効果】
【００１９】
本発明によれば、記録媒体の腰の強さによらずに安定して記録媒体の検出ができ、記録媒体の案内を確実に行うことができ、さらにジャムが生じた記録媒体を簡単に除去できる画像形成装置及び定着装置を提供することができる。
【発明を実施するための最良の形態】
【００２０】
次に本発明の実施形態を図面に基づいて説明する。
【００２１】
図１において、本発明の第１の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８，１８が配置されている。さらに、画像形成装置本体１２の下方には、オプションとして複数の給紙ユニットが配置できるようにしてある。
【００２２】
それぞれの給紙ユニット１８は、給紙ユニット本体２０と、記録媒体が収納される給紙カセット２２とを有する。給紙カセット２２の奥端近傍上部にはピックアップロール２４が配置され、このピックアップロール２４の後方にリタードロール２６及びフィードロール２８が配置されている。
【００２３】
搬送路３０は、フィードロール２８から排出口３２までの記録媒体通路であり、この搬送路３０は、画像形成装置本体１２の裏側（図１の左側面）近傍にあって、最下端の給紙ユニット１８から後述する定着装置３４まで略鉛直に形成されている部分を有する。この搬送路３０の定着装置３４の上流側に後述する転写装置３６と像保持体３８が配置され、さらに転写装置３６と像保持体３８の上流側にレジストロール４０が配置されている。さらに、搬送路３０の排出口３２の近傍には排出ロール４２が配置されている。
【００２４】
したがって、給紙ユニット１８の給紙カセット２２からピックアップロール２４により送り出された記録媒体は、リタードロール２６及びフィードロール２８の協働により捌かれて最上部の記録媒体のみ搬送路３０に導かれ、レジストロール４０により一時停止され、タイミングをとって後述する転写装置３６と像保持体３８との間を通って現像剤像が転写され、この転写された現像剤像が定着装置３４により定着され、排出ロール４２により排出口３２から排出部１６へ排出される。
【００２５】
ただし、両面印刷の場合は、搬送路３０から分岐する反転路に戻される。即ち、搬送路３０の排出ロール４２の手前は二股に分かれ、その分けられた部分からレジストロール４０まで戻る反転路（第１の分岐路）４４が形成されている。この反転路４４には搬送ロール４６ａ〜４６ｃが設けられており、両面印刷の場合には、排出ロール４２に記録媒体の後端手前がかかる時点で排出ロール４２が反転し、記録媒体が反転路４４に導かれ、レジストロール４０、転写装置３６と像保持体３８及び定着装置３４を通って排出口３２から排出部１６へ排出されるものである。
【００２６】
像形成手段１４は、例えば電子写真方式のもので、感光体からなる像保持体３８と、この像保持体３８を一様帯電する例えば帯電ロールからなる帯電装置４８と、帯電装置４８により帯電された像保持体３８に、光により潜像を書き込む光書込み装置５０と、この光書込み装置５０により形成された像保持体３８の潜像を現像剤により可視化する現像装置５２と、この現像装置５２による現像剤像を記録媒体に転写する例えば転写ロールからなる転写装置３６と、像保持体３８に残存する現像剤をクリーニングする例えばブレードからなるクリーニング装置５４と、転写装置３６により転写された記録媒体上の現像剤像を記録媒体に定着させる定着装置３４とから構成されている。光書込み装置５０は例えば走査型のレーザ露光装置からなり、前述した給紙ユニット１８と平行で画像形成装置本体１２の正面近傍に配置され、現像装置５２内を横切って像保持体３８を露光する。そして、像保持体３８の露光位置が潜像書込み位置Ｐとなる。
【００２７】
なお、この実施形態においては、光書込み装置５０として走査型のレーザ露光装置を用いたが、他の実施形態としてＬＥＤや面発光レーザ等を用いることができる。
【００２８】
プロセスカートリッジ５６は、像保持体３８、帯電装置４８、現像装置５２及びクリーニング装置５４を一体化したものであり、これらを一体として交換できるようになっている。このプロセスカートリッジ５６は、排出部１６を開くことにより、画像形成装置本体１２から取り出すことができる。
【００２９】
前述した画像形成装置本体１２には、両面ユニット５８が装着されている。この両面ユニット５８は、前述した反転路４４の一部と搬送ロール４６ａ〜４６ｃとを含む。この両面ユニット５８は、該両面ユニット５８の上部に設けられたラッチ部（図示せず）を外すと、矢印で示すように、両面ユニット５８の下部に設けられた第１の軸６０を中心として反時計方向に回転できるようになっている。また、定着装置３４の周囲がカバー６２に覆われている。このカバー６２は、図示しないラッチ部を外すと、矢印で示すように、該カバー６２の下部に設けられた第２の軸６４を中心として反時計方向に回転できるようになっている。
【００３０】
次に定着装置３４及びその周辺構成にについて図２及び図３を用いて詳述する。
【００３１】
図２は、両面ユニット５８及びカバー６２が閉じられた状態にある定着装置３４及びその周辺構成を示す断面図である。図３は、両面ユニット５８及びカバー６２が開かれ、さらに後述する第１の記録媒体案内部材及び第２の記録媒体案内部材が開かれた状態にある定着装置３４及びその周辺構成を示す断面図である。
【００３２】
定着装置３４は、樹脂等から構成された定着装置本体６６を有する。この定着装置本体６６は、画像形成装置本体１２に固定されている。また、この定着装置本体６６に定着部材である加圧ロール６８と加熱ロール７０とが収容されている。加圧ロール６８の周囲は弾性体から構成され、加圧ロール６８と加熱ロール７０とは、圧接部７２を介して接触している。また、加熱ロール７０内には、例えば２本のランプ７４ａ，７４ｂが配置されており、このランプ７４ａ，７４ｂが点灯することにより加熱ロール７０が加熱される。
【００３３】
圧接部７２の記録媒体搬送方向上流側（重力方向下側）には、入口側案内部７６が設けられている。この入口側案内部７６により記録媒体が圧接部７２に向けて案内される。圧接部７２の記録媒体搬送方向下流側（重力方向上側）には、第１の記録媒体案内部材７８、第２の記録媒体案内部材８０及び第３の記録媒体案内部材８２が設けられている。第１の記録媒体案内部材７８は、第１の支持軸８４を介して定着装置本体６６に対して回転自在であるように支持されている。図２に示すように、カバー６２が閉じられた状態にある場合、この第１の記録媒体案内部材７８は、時計方向では定着装置本体６６に当り、反時計方向ではカバー６２に当り、定着装置本体６６に対して固定されている。カバー６２を開くと、カバー６２と第１の記録媒体案内部材７８との係合が解け、図３に示すように、第１の支持軸８４を中心として反時計方向に回転自在となる。第２の記録媒体案内部材８０は、第１の記録媒体案内部材７８の記録媒体搬送方向下流側で第１の記録媒体案内部材７８に続いて設けられている。この第２の記録媒体案内部材８０は、第２の支持軸８６を介して第１の記録媒体案内部材７８に対して回転自在であるように支持されている。ただし、この第２の記録媒体案内部材８０は、第１の記録媒体案内部材７８に当ることにより回転可能角度が例えば９０度以下であるように規制されており、図２における実線で示す位置と二点鎖線で示す位置との間の範囲で回転可能である。この第２の記録媒体案内部材８０は、通過する記録媒体の腰により実線で示す位置から二点鎖線で示す位置に回転し、第１の記録媒体案内部材７８及び第３の記録媒体案内部材８２と共に、搬送路３０を通過する記録媒体を案内する一方、重力又はばね等の付勢部材による付勢力により実線で示す位置に戻り、排出ロール４２の逆転により搬送される記録媒体を反転路４４に案内するようになっている。第３の記録媒体案内部材８２は、定着装置本体６６と一体に形成され、第１の記録媒体案内部材７８及び第２の記録媒体案内部材８０に対向している。
【００３４】
なお、第３の記録媒体案内部材８２の下部には隔離爪８７が設けられ、この剥離爪８７により加熱ロール７０に巻き付こうとする記録媒体を剥離するようになっている。
【００３５】
検出装置８８は、通過する記録媒体を検出するもので、通過する記録媒体により回転移動される移動部材９０と、この移動部材９０の移動を検知する検知部９２とを有する。移動部材９０は、定着装置本体６６に回転自在に支持される第３の支持軸９４と、この第３の支持軸９４から第１の記録媒体案内部材７８に向けて斜めに延びる記録媒体接触部９６と、第１の記録媒体案内部材７８の反対側に延びる被検知部９８とを有する。記録媒体接触部９６は、第１の記録媒体案内部材７８に対向しており、該記録媒体接触部９６の先端が第１の記録媒体案内部材７８側に入り込み、記録媒体が通過する場合は、この記録媒体接触部９６に記録媒体が接触し、移動部材９０が実線で示す位置から二点鎖線で示す位置へと回転される。
【００３６】
検知部９２は、例えば光学式で、被検知部９８を挟む形で発光素子と受光素子が設けられている。図２の実線で示すように、記録媒体が通過していない場合は、発光素子と受光素子とを結んだ直線上に被検知部９８があり、発光素子から発した光が受光素子で受けられず、記録媒体が通過していない状態であることが検出される。一方、図２の二点鎖線で示すように、記録媒体が通過している場合は、被検知部９８が発光素子と受光素子とを結んだ直線上から抜け出し、発光素子から発した光が受光素子で受けるようになり、記録媒体が通過している状態であることが検出される。その後、記録媒体の後端が通過し終わると、移動部材９０が実線で示す位置に戻り、発光素子から発した光が受光素子で受けられず、記録媒体が通過し終えたことが検出される。
【００３７】
さらに記録媒体の後端が第２の記録媒体案内部材８０を通過すると、両面印刷の場合は、排出ロール４２が逆転し、記録媒体が方向転換して反転路４４に導かれる。また、記録媒体が所定時間内に検出装置８８を通過しない場合は、ジャムが生じたと判断し、その旨を表示すると共に、加熱ロール７０の加熱を停止する等の措置が採られる。
【００３８】
前述したように、カバー６２が開かれると、カバー６２と第１の記録媒体案内部材７８との係合が解け、第１の支持軸８４を中心として反時計方向に回転自在となる。ここで、図３に示すように、第１の記録媒体案内部材７８を第１の支持軸８４を中心として反時計方向に回転させると、第２の記録媒体案内部材８０も第１の記録媒体案内部材７８と共に第１の支持軸８４を中心として反時計方向に回転し、さらに第２の支持軸８６を中心として反時計方向に回転する。このため、圧接部７２の上方が大きく開口し、ジャムが生じた記録媒体を容易に取り出すことができる。
【００３９】
次に本発明に係る第２の実施形態について図４及び図５を用いて説明する。
【００４０】
図４は、第２の実施形態に係る画像形成装置１０を示す側面図、図５は、第２の実施形態に用いた定着装置３４及びその周辺構成を示す断面図である。
【００４１】
第２の実施形態は、第１の実施形態と比較すると、画像系装置本体１２の記録媒体排出部分の上方にオプションユニット１００を設けた点が異なる。オプションユニット１００は、例えばソータであり、定着装置３４を通過した記録媒体を複数の排出トレイ１０２に分けて排出する。
【００４２】
このように、オプションユニット１００が装着された画像形成装置１０においては、オプションユニット１００に記録媒体を導くためのオプション搬送路（第２の分岐路）１０４が第２の記録媒体案内部材８０の上方で、搬送路３０から分岐して形成される。オプション搬送路１０４には搬送ロール１０６が設けられている。この搬送路３０とオプション搬送路１０４とに分かれた部分には切替部材１０８が設けられている。この切替部材１０８は、第４の支持軸１１０を介して画像形成装置本体１２に回転自在に支持されている。この切替部材１０８は、図示しないソレノイド等の駆動部により第４の支持軸１１０を介して実線で示す位置と二点鎖線で示す位置とに移動し、それぞれの位置で保持される。この切替部材１０８が実線で示す位置にある場合は、搬送路３０を介して記録媒体が排出されるか、又は排出ロール４２の逆転により記録媒体が反転路４４へと導かれる。切替部材１０８が二点鎖線で示す位置にある場合、記録媒体はオプション搬送路１０４に導かれる。この場合、第２の記録媒体案内部材８０は、記録媒体の腰により二点鎖線で示す位置まで反時計方向に回転するので、この第２の記録媒体案内部材８０により記録媒体をオプション搬送路１０４に確実に案内することができる。
【００４３】
次に本発明に係る第３の実施形態について図５乃至図８を用いて説明する。前述した第２の実施形態においては、第２の記録媒体案内部材８０は、自重で搬送路３０を閉じており、記録媒体が搬送された場合は、記録媒体により押圧されて第２の支持軸８６を中心として反時計方向に回転し、搬送路３０を開くようになっている。記録媒体を排出口３２に導く場合は、記録媒体は、第２の記録媒体案内部材８０により方向付けられた方向に切替部材１０８を介して排出口３２へと案内されるので、紙詰まりを生じるおそれは小さい。一方、記録媒体をオプション搬送路１０４に導く場合は、第２の記録媒体案内部材８０の自重が負荷となって記録媒体は切替部材１０８を介して略鉛直方向へと案内されるので、例えば腰の弱い記録媒体では紙詰まりを生じるおそれがある。また、検出装置８８による記録媒体の検出が不安定になるおそれがある。
【００４４】
そこで、この第３の実施形態においては、記録媒体をオプション搬送路１０４に導く場合は、第２の記録媒体案内部材８０を図５の２点鎖線で示す位置に保持する保持手段１１２を設け、記録媒体の負荷を軽減するようにしてある。保持手段１１２は、第２の記録媒体案内部材８０と切替部材１０８とを連結する連結部材１１４を有する。連結部材１１４は、第５の支持軸１１６を介して画像形成装置本体１２に回転自在に支持されている。この連結部材１１４には長穴状の伝達溝１１８が形成されている。一方、切替部材１０８の端部においては、駆動伝達部１２０が第４の支持軸１１０に設けられている。この駆動伝達部１２０は、第４の支持軸１１０の半径方向に突出した入力側伝達部１２２及び出力側伝達部１２４を有する。入力側伝達部１２２は、オプションユニット１００側に設けられたソレノイド等の駆動部１２６に連結され、この駆動部１２６から駆動力を受け、切替部材１０８を回転駆動するようになっている。出力側伝達部１２４には連結軸１２８が第５の支持軸１１６と平行に突出して形成されている。この連結軸１２８が連結部材１１４の伝達溝１１４に摺動自在であるよう嵌っている。切替部材１０８が駆動部１２６により第４の支持軸１１０を中心に回転させられると、この切替部材１０８の回転力が駆動伝達部１２０を介して連結部材１１４に伝達され、連結部材１１４が第５の支持軸１１６を中心として回転する。
【００４５】
また、連結部材１１４には、押圧部１３０が第２の記録媒体案内部材８０側に向けて形成されている。一方、第２の記録媒体案内部材８０の端部には被押圧部１３２が連結部材１１４の押圧部１３０に対向して形成されている。
【００４６】
なお、この第２の記録媒体案内部材８０の被押圧部１３２は第１の記録媒体案内部材７８と干渉しないように形成されている。
【００４７】
このような構成にあって、図７に示すように、駆動部１２６が切替部材１０８の駆動伝達部１２０の入力側伝達部１２２を時計方向に押し付けている状態にあっては、切替部材１０８が図５の実線位置にあると共に、連結部材１０８の押圧部１３０が第２の記録媒体案内部材８０の被押圧部１３２から離れている。したがって、この状態にあっては、第２の実施形態と同様に、第２の記録媒体案内部材８０は、自重で搬送路３０を閉じており、記録媒体が搬送された場合は、記録媒体により押圧されて第２の支持軸８６を中心として反時計方向に回転し、搬送路３０を開き、記録媒体は切替部材１０８を介して排出口３２へと案内される。
【００４８】
ここで、図８に示すように、駆動部１２６が引き込まれると、切替部材１０８は第４の支持軸１１０を中心として反時計方向に回転し、図５の二点鎖線で示す位置に移動する。さらに切替部材１０８が反時計方向に回転すると、切替部材１０８の回転力が出力側伝達部１２４、連結軸１２８及び伝達溝１１４を介して連結部材１１４に伝達され、連結部材１１４が第５の支持軸１１６を中心として時計方向に回転する。連結部材１１４が時計方向に回転すると、連結部材１１４の押圧部１３０が第２の記録媒体案内部材８０の被押圧部１３２に当たり、さらに被押圧部１３２を上方へ引き上げる。被押圧部１３２が上方へ引き上げられると、第２の記録媒体案内部材８０が第２の支持軸８６を中心として反時計方向に回転し、図５の二点鎖線で示す位置に保持される。このため、第２の記録媒体案内部材８０が搬送路３０を開いた状態で保持されるので、記録媒体は搬送路３０からオプション搬送路１０４へスムーズに案内される。
【００４９】
尚、上記３つの実施形態においては、定着装置３４は、加圧ロール６８と加熱ロール７０とから構成されているが、本発明は、これに限定されるものではなく、例えば２つの加熱ロールから構成されていたり、加圧ロールの代わりにベルトが用いられたりしているものも含む。
【図面の簡単な説明】
【００５０】
【図１】本発明の第１の実施形態に係る画像形成装置を示す側面図である。
【図２】本発明の第１の実施形態において、両面ユニット及びカバーが閉じられた状態にある定着装置３４及びその周辺構成を示す断面図である。
【図３】本発明の第１の実施形態において、両面ユニット及びカバーが開かれ、さらに第１の記録媒体案内部材及び第２の記録媒体案内部材が開かれた状態にある定着装置及びその周辺構成を示す断面図である。
【図４】本発明の第２の実施形態に係る画像形成装置を示す側面図である。
【図５】本発明の第２の実施形態において、両面ユニット及びカバーが閉じられた状態にある定着装置３４及びその周辺構成を示す断面図である。
【図６】本発明の第３の実施形態に係る主要部分の斜視図である。
【図７】本発明の題３の実施形態において、切替部材がオプション搬送路を閉じた状態を示す断面図である。
【図８】本発明の題３の実施形態において、切替部材がオプション搬送路を開いた状態を示す断面図である。
【符号の説明】
【００５１】
１０    画像形成装置
１２    画像形成装置本体
３０    搬送路
３４    定着装置
４２    排出ロール
４４    反転路（第１の分岐路）
５８    両面ユニット
６２    カバー
６６    定着装置本体
６８    加圧ロール
７０    加熱ロール
７２    圧接部
７８    第１の記録媒体案内部材
８０    第２の記録媒体案内部材
８２    第３の記録媒体案内部材
８８    検出装置
９０    移動部材
９２    検知部
１００  オプション装置
１０４  オプション搬送路（第２の分岐路）
１０８  切替部材
１１２  保持手段
１１４  連結部材
【図１】
0004548536.tif 000002
【図２】
0004548536.tif 000003
【図３】
0004548536.tif 000004
【図４】
0004548536.tif 000005
【図５】
0004548536.tif 000006
【図６】
0004548536.tif 000007
【図７】
0004548536.tif 000008
【図８】
0004548536.tif 000009